(57)【要約】  本発明は、界面活性剤水溶液中における低温安定剤としてのＮ−メチル−Ｎ−アシルグルカミンの使用に関し、その際、Ｎ−メチル−Ｎ−アシルグルカミンの少なくとも９０重量％がＣ８−アシル基又はＣ１０−アシル基を有する。本発明はさらに、（ａ）成分（Ａ）として、少なくとも９０重量％がＣ８−アシル基又はＣ１０−アシル基を有するＮ−メチル−Ｎ−アシルグルカミン、（ｂ）成分（Ｂ）として、一種又は二種のアニオン性界面活性剤、（ｃ）成分（Ｃ）として、一種又は二種のベタイン系−界面活性剤、（ｄ）場合によって、成分（Ｄ）として更なる界面活性剤、（ｅ）成分（Ｅ）として、水、（ｆ）場合によって、成分（Ｆ）として、更なる添加剤、を含有する組成物にも関する。【特許請求の範囲】
【請求項１】
界面活性剤水溶液中におけるＮ−メチル−Ｎ−アシルグルカミンの低温安定剤としての使用であって、その際、Ｎ−メチル−Ｎ−アシルグルカミンの少なくとも９０重量％がＣ８−アシル−基又はＣ１０−アシル基を有する、上記の使用。
【請求項２】
前記界面活性剤水溶液が、アニオン性の界面活性剤としてアルキルサルフェート及び／又はアルキルエーテルサルフェート及びベタイン系−界面活性剤を含有することを特徴とする、請求項１に記載の使用。
【請求項３】
前記界面活性剤水溶液が、線状のＣ８−Ｃ２０−アルキルサルフェート及び／又は線状のＣ８−Ｃ２０−アルキルエーテルサルフェートを含有することを特徴とする、請求項１又は２に記載の使用。
【請求項４】
前記界面活性剤水溶液が、ラウリルサルフェート及び／又はラウリルエーテルサルフェートを含有することを特徴とする、請求項３に記載の使用。
【請求項５】
前記界面活性剤水溶液が、アシルアミドプロピルベタイン又はアルキルベタインを含有することを特徴とする、請求項１〜４のいずれか一つに記載の使用。
【請求項６】
（ａ）成分（Ａ）として、少なくとも９０重量％がＣ８−アシル基又はＣ１０−アシル基を有するＮ−メチル−Ｎ−アシルグルカミン、
（ｂ）成分（Ｂ）として、一種又は二種のアニオン性の界面活性剤、
（ｃ）成分（Ｃ）として、一種又は二種のベタイン系−界面活性剤、
（ｄ）場合によって、成分（Ｄ）として更なる界面活性剤、
（ｅ）成分（Ｅ）として、水、
（ｆ）場合によって、成分（Ｆ）として、更なる添加剤、
を含有する組成物。
【請求項７】
（ａ）０．０１〜５．０重量％の成分（Ａ）、
（ｂ）１．０〜２０．０重量％の成分（Ｂ）、
（ｃ）０．１〜１０．０重量％の成分（Ｃ）、
（ｄ）０〜５．０重量％の成分（Ｄ）、
（ｅ）５５．０〜９８．８９重量％の成分（Ｅ）、
（ｆ）０〜５．０重量％の成分（Ｆ）、
を含有する組成物。
【請求項８】
毛髪用シャンプー、シャワーソープ、ハンドソープ及び洗顔料の形態の請求項６又は７に記載の組成物。
【発明の詳細な説明】
【技術分野】
【０００１】
本発明は、界面活性剤水溶液中における低温安定剤としてのＮ−メチル−Ｎ−アシルグルカミンの使用に関する。
【背景技術】
【０００２】
短鎖の糖型界面活性剤が表面活性化剤における可溶化剤として投入されることは知られている。
【０００３】
毛髪用シャンプー、食器洗浄機用洗剤又は食器用洗剤のような液状界面活性化剤を製造する際に、しばしば、界面活性剤の含有物が、十分な水溶性を有さないために、特に、塩の存在下で曇ったり、また多くの相が形成されたりといった問題に遭遇する。洗浄剤、リンス剤、並びに化粧品又は医薬品のような表面活性化剤中の界面活性剤の含有物を可溶化するために、国際公開第９６／１４３７４号パンフレット（特許文献１）は、次の式のカルボン酸−Ｎ−アルキル−Ｎ−ポリヒドロキシアルキルアミドを開示している。
【０００４】
Ｒ２ＣＯ−ＮＲ３−［Ｚ］
（式中、Ｒ２ＣＯは、１〜８個のＣ−原子を有する脂肪族アシル残基であり、Ｒ３は、水素又は１〜８個のＣ−原子を有するアルキル残基又はヒドロキシアルキル残基であり、［Ｚ］は、３〜１２個のＣ−原子及び３〜１０個のＯＨ−基を有するポリヒドロキシアルキル残基である。）好ましいものとして、カルボン酸−Ｎ−アルキルグルカミンが知られており、その場合、Ｒ２ＣＯは、ギ酸、酢酸、プロピオン酸、酪酸又はカプロン酸のアシル残基であり、かつ、アルキル残基Ｒ３は、メチル又はオクチルである。実施例では、油酸スルホナート−ナトリウム塩、ヤシ脂肪アルコールエーテルサルフェート−ナトリウム塩及びヤシ脂肪酸−トリエタノールアンモニウム塩を含有する混合物の可溶化剤として、酢酸−Ｎ−オクチルグルカミン、酪酸−Ｎ−オクチルグルカミン及びカプロン酸−Ｎ−メチルグルカミンが使用されている。
【０００５】
国際公開第９５／１７８８０号パンフレット（特許文献２）は、アルキルグリコールエーテルサルフェート及びアルキルサルフェート並びにポリヒドロキシアルキル脂肪酸アミドを含有する毛髪用シャンプーを記載している。アルキルグリコールエーテルサルフェートとして、ラウリルトリエチレングリコールエーテルサルフェート等が、そしてアルキルサルフェートとしてラウリルサルフェートが知られている。ポリヒドロキシアルキル脂肪酸アミドとして、次の一般式で表される化合物が挙げられる。
【０００６】
Ｒ２−ＣＯ−ＮＲ１−Ｚ
（式中、Ｒ１は、好ましくはＣ１−Ｃ４−アルキル、特に、メチルであり、Ｒ２は、好ましくは直鎖状のＣ７−Ｃ１９−アルキル又は−アルケニル、特に、直鎖状のＣ１１−Ｃ１６−アルキル又は−アルケニルであり、そしてＺは、好ましくは、１−デオキシドグルシチル、２−デオキシフルクチチル、１−デオキシマルチチル、１−デオキシラクチチル、１−デオキシガラクチチル、１−デオキシマンニチル又は１−デオキシマルトトリオチチルである。実施例は、アンモニウムラウリル-サルフェート、アンモニウムラウリルトリエチレングリコールサルフェート及びラウリル−Ｎ−メチルグルカミンを含有する毛髪用シャンプー組成物を開示している。
【０００７】
界面活性剤水溶液が一方で線状のアルキルサルフェート及び／又はアルキルエーテルサルフェート、並びに他方でベタイン系界面活性剤を含有する場合、温度が低下すると共に粘度も減少する。これは、低温時に溶液から界面活性剤が析出することによって起こり得る。この効果は、実施上におけるスポーツバッグ効果として知られていて望ましいものではない。というのも、ボディ用洗浄剤及び毛髪用洗浄剤は、低温での貯蔵時に水の様に薄くなってしまい、もはや望ましい取扱プロフィルを有さなくなるからである。
【先行技術文献】
【特許文献】
【０００８】
【特許文献１】国際公開第９６／１４３７４号パンフレット
【特許文献２】国際公開第９５／１７８８０号パンフレット
【特許文献３】欧州特許第０  ５５０  ６３７  Ｂ１号
【特許文献４】欧州特許第０  ５５０  ６３７  Ａ１号
【発明の概要】
【発明が解決しようとする課題】
【０００９】
本発明の課題は、界面活性剤水溶液の低温安定性を改善するための安定剤を提供することである。
【課題を解決するための手段】
【００１０】
上記の課題は、界面活性剤水溶液中におけるＮ−メチル−Ｎ−アシルグルカミンの低温安定剤としての使用であって、その際、該Ｎ−メチル−Ｎ−アシルグルカミンの少なくとも９０重量％が、Ｃ８−アシル基又はＣ１０−アシル基を有する、該使用によって解決される。
【００１１】
Ｎ−メチル−Ｎ−アシルグルカミンは、次の一般式（Ｉ）を有する。
【００１２】
【化１】
2015519451.tif 000002
【００１３】
式中、Ｒは、対応するアルキル残基又は一価又は多価の不飽和アルケニル残基を意味し、Ｃ８−アシルグルカミン又はＣ１０−アシルグルカミンの場合、Ｃ７−アルキル残基又はＣ９−アルキル残基、又は一価又多価の不飽和アルケニル残基である。
【００１４】
本発明により使用されるＮ−メチル−Ｎ−Ｃ８−Ｃ１０−アシルグルカミンの存在下では、界面活性剤水溶液の粘度は、低温においてもなお驚くほど高いことが見出された。
【００１５】
本発明により使用されるＮ−メチル−Ｎ−アシルグルカミンは、その少なくとも９０重量％までが、Ｃ８−アシル基又はＣ１０−アシル基を含有するＮ−メチル−Ｎ−アシルグルカミンからなる。特に好ましくは、Ｃ８−アシル基又はＣ１０−アシル基を含有するＮ−メチル−Ｎ−アシルグルカミンの割合は、少なくとも９５重量％である。本発明により可溶化剤として使用されるＮ−メチル−Ｎ−アシルグルカミンは、低い割合の短鎖及び／又は長鎖脂肪酸から誘導された、特に、Ｃ１−Ｃ４−アシル、Ｃ６−アシル、Ｃ１２−アシル、Ｃ１４−アシル、Ｃ１６−アシル、Ｃ１８−アシル及び／又はＣ２０−アシルを含有するようなＮ−メチル−Ｎ−アシルグルカミンを含有する。
【００１６】
Ｎ−メチル−Ｎ−アシルグルカミンは、欧州特許第０  ５５０  ６３７  Ｂ１号（特許文献３）に開示されるように、対応する脂肪酸エステル又は脂肪酸エステル混合物を、ヒドロキシル基又はアルコキシル基を有する溶剤の存在下で、Ｎ−メチルグルカミンと反応させることによって製造できる。適当な溶剤は、例えば、Ｃ１−Ｃ４−モノアルコール、エチレングリコール、プロピレングリコール、グリセリン並びにアルコキシル化アルコールである。好ましくは、１，２−プロピレングリコールである。Ｎ−メチルグルカミンは、同様に、欧州特許第０  ５５０  ６３７  Ａ１号（特許文献４）に開示されるように、グルコースのメチルアミンとの還元性アミン化によって得ることができる。
【００１７】
Ｎ−メチルグルカミンと共にＮ−メチルＮ−アシルグルカミンに転化させるのに適した脂肪酸エステルは、一般に、例えば、トリグリセリドのような天然の脂肪及び油脂からのエステル化によって得られるメチルエステルである。
【００１８】
脂肪酸メチルエステルを製造するのに適した原材料は、例えば、ヤシ油又はパーム油である。
【００１９】
一般に、界面活性剤水溶液は、アニオン性の界面活性剤又はベタイン系の界面活性剤のいずれかを含有する。
【００２０】
本発明の好ましい実施形態では、該界面活性剤は、アルキルサルフェート及びアルキルエーテルサルフェートの群からの一種又は二種のアニオン性界面活性剤である。
【００２１】
好ましいアルキルサルフェートは、Ｃ８−Ｃ２０−アルキルサルフェート、特に、ナトリウム塩、カリウム塩、又はアンモニウム塩の形態の線状のＣ８−Ｃ２０−アルキルサルフェートである。アルキルサルフェートの例は、ラウリルサルフェート、ヤシ脂肪アルキルサルフェート及び獣脂アルキルサルフェートである。特に好ましくはラウリルサルフェートである。
【００２２】
好ましいアルキルエーテルサルフェートは、Ｃ８−Ｃ２０−アルキルエーテルサルフェートであり、特に好ましくは、線状のＣ８−Ｃ２０−アルキルエーテルサルフェート、特に、エトキシル化脂肪アルコールから誘導された、ナトリウム塩、カリウム塩又はアンモニウム塩の形態のアルキルグリコールエーテルサルフェートである。アルキルエーテルサルフェートの例は、ラウリルエーテルサルフェート、ヤシ脂肪酸アルキルエーテルサルフェート及び獣脂アルキルエーテルサルフェートである。グリコールエーテルサルフェートの例は、ラウリルトリエチレングリコールエーテルサルフェート、ヤシ脂肪酸アルキルトリエチレングリコールエーテルサルフェート及び獣脂アルキルヘキサエチレングリコールエーテルサルフェートである。特に好ましくは、ラウリルグリコールエーテルサルフェート、例えば、ラウリルジエチレングリコールエーテルサルフェート及びラウリルトリエチレングリコールエーテルサルフェート、特にそのナトリウム塩の形態のものである。
【００２３】
好ましくは、界面活性剤水溶液は、それ以外に、ベタイン系界面活性剤であるアニオン界面活性剤を少なくとも一種含有する。
【００２４】
ベタイン系界面活性剤は、その同じ分子中に一つのカチオン基、特にアンモニウム基及びカルボキシレート基、硫酸基又はスルホナート基であることができるアニオン基を含有する。適当なベタインは、アルキルベタイン、例えば、ココベタイン又は脂肪酸アルキルアミドプロピルベタイン、例えば、ヤシ脂肪酸アシルアミドプロピルジメチルベタイン、Ｃ１２−Ｃ１８−ジメチルアミノヘキサノエート又はＣ１０−Ｃ１８−アシルアミドプロパンジメチルベタインである。
【００２５】
本発明の好ましい実施形態では、界面活性剤水溶液は、次の一般式（Ｉ）のアミドプロピルベタインを一種又は二種含有する。
【００２６】
【化２】
2015519451.tif 000003
【００２７】
式中、Ｒａは、線状又は分岐状の飽和Ｃ７−Ｃ２１アルキル基又は線状又は分岐状の一価又は多価の不飽和のＣ７−Ｃ２１アルケニル基である。
【００２８】
本発明のさらに好ましい実施形態では、界面活性剤水溶液は、次式（ＩＩ）のベタインを一種又は二種含有する。
【００２９】
【化３】
2015519451.tif 000004
【００３０】
式中、Ｒｂは、線状又は分岐状の飽和Ｃ８−Ｃ２２アルキル基又は線状又は分岐状の一価又は多価の不飽和のＣ８−Ｃ２２アルケニル基である。
【００３１】
本発明のさらに好ましい実施形態では、界面活性剤水溶液は、次式（ＩＩＩ）のスルホベタインを一種又は二種含有する。
【００３２】
【化４】
2015519451.tif 000005
【００３３】
式中、Ｒｃは、線状又は分岐状の飽和Ｃ８−Ｃ２２アルキル基又は線状又は分岐状の一価又は多価の不飽和のＣ８−Ｃ２２アルケニル基である。
【００３４】
本発明のより好ましいさらなる実施形態では、界面活性剤溶液は、式（Ｉ）のアミドプロピルベタイン、式（ＩＩ）のベタイン及び式（ＩＩＩ）のスルホベタインからなる化合物の群から選択される一種又は二種のベタイン系界面活性剤を含有する。
【００３５】
本発明の特に好ましい実施形態では、界面活性剤溶液は、式（Ｉ）のアミドプロピルベタインから選択される一種又は二種のベタイン系界面活性剤を含有する。
【００３６】
本発明のより好ましいさらなる実施形態では、界面活性剤溶液は、式（ＩＩ）のベタインから選択される一種又は二種のベタイン系界面活性剤を含有する。
【００３７】
本発明の特に好ましいさらなる実施形態では、界面活性剤溶液は、式（ＩＩＩ）のスルホベタインから選択される一種又は二種のベタイン系界面活性剤を含有する。
【００３８】
好ましくは、式（Ｉ）の一種又は二種のアミドプロピルベタイン中の残基Ｒａは、線状又は分岐状の飽和Ｃ７−Ｃ１７アルキル基である。線状及び分岐状の飽和アルキル基Ｒａの中でも、線状の飽和アルキル基が好ましい。
【００３９】
特に好ましくは、式（Ｉ）のアミドプロピルベタインは、コカミドプロピルベタインである。
【００４０】
好ましくは、式（ＩＩ）の一種又は二種のベタイン中の残基Ｒｂは、線状又は分岐状の飽和Ｃ８−Ｃ１８−アルキル基であり、そしてより好ましくは線状又は分岐状の飽和Ｃ１２−Ｃ１８−アルキル基である。線状及び分岐状の飽和アルキル基Ｒｂの中では、線状の飽和アルキル基が好ましい。
【００４１】
好ましくは、一種又は二種の式（ＩＩＩ）のスルホベタイン中の残基Ｒｃは、線状又は分岐状の飽和Ｃ８−Ｃ１８アルキル基、そしてより好ましくは、線状又は分岐状の飽和Ｃ１２−Ｃ１８アルキル基である。線状及び分岐状の飽和アルキル基Ｒｃの中では、線状の飽和アルキル基が好ましい。
【００４２】
特に好ましくは、界面活性剤水溶液は、式（Ｉ）のアミドプロピルベタイン及び／又は式（ＩＩ）のアルキルベタインを含有する。
【００４３】
本発明の対象は、
（ａ）成分（Ａ）として、少なくとも９０重量％がＣ８−アシル基又はＣ１０−アシル基を有するＮ−メチル−Ｎ−アシルグルカミン、
（ｂ）成分（Ｂ）として、一種又は二種のアニオン性の界面活性剤、
（ｃ）成分（Ｃ）として、ベタイン系−界面活性剤、
（ｄ）場合によって、成分（Ｄ）として更なる界面活性剤、
（ｅ）成分（Ｅ）として、水、
（ｆ）場合によって、成分（Ｆ）として、保存料、香料、着色料及び保湿剤のような更なる添加剤、
を含有する組成物である。
【００４４】
一般に、該組成物は、
（ａ）０．０１〜５．０重量％、好ましくは、０．１〜３．０重量％の成分（Ａ）、
（ｂ）１．０〜２０．０重量％、好ましくは、５．０〜１５重量％の成分（Ｂ）、
（ｃ）０．１〜１０．０重量％、好ましくは、１．０〜１０．０重量％の成分（Ｃ）、
（ｄ）０〜５．０重量％、好ましくは、０〜３．０重量％の成分（Ｄ）、
（ｅ）５５．０〜９８．８９重量％、好ましくは、７５〜９５重量％の成分（Ｅ）、
（ｆ）０〜５．０重量％、好ましくは、０〜２．０重量％の成分（Ｆ）、
を含有する。
【００４５】
好ましくは、本発明の化粧料組成物は、上述のアルキルサルフェート及び／又はアルキルエーテルサルフェート及びベタイン系界面活性剤を含有する。
【００４６】
任意のさらなる界面活性剤（Ｄ）は、カチオン性、非イオン性又は両性の界面活性剤であることができる。
【００４７】
好適なカチオン性界面活性剤は、Ｒ１Ｎ（ＣＨ３）３Ｘ、Ｒ１Ｒ２Ｎ（ＣＨ３）２Ｘ、Ｒ１Ｒ２Ｒ３Ｎ（ＣＨ３）Ｘ又はＲ１Ｒ２Ｒ３Ｒ４ＮＸの種類の、置換された、又は置換されていない、直鎖状の又は分岐鎖状の第四級アンモニウム塩である。残基Ｒ１、Ｒ２、Ｒ３及びＲ４は、好ましくは、相互に独立して、８〜２４個のＣ原子、好ましくは、１０〜１８個のＣ原子の鎖長を有する置換されていないアルキル、１〜４個のＣ原子を有するヒドロキシアルキル、フェニル、Ｃ２−〜Ｃ１８−アルケニル、Ｃ７−〜Ｃ２４−アラルキル、（Ｃ２Ｈ４Ｏ）ｘＨ（式中、ｘは１〜３を意味する。）、一つ又は二つ以上のエステル基を含有するアルキル残基又は環状の第四級アンモニウム塩であることができる。Ｘは、適当なアニオンである。好ましくは、（Ｃ８−Ｃ２２）−アルキルトリメチルアンモニウムクロリド又は−ブロミド、特に好ましくは、セチルトリメチルアンモニウムクロリド又は−ブロミド、ジ−（Ｃ８−Ｃ２２）−アルキルジメチルアンモニウムクロリド又は−ブロミド、（Ｃ８−Ｃ２２）−アルキルジメチルベンジルアンモニウムクロリド又は−ブロミド、（Ｃ８−Ｃ２２）−アルキル−ジメチルヒドロキシエチルアンモニウムクロリド、−ホスフェート、−サルフェート、−ラクテートであり、さらに好ましくは、ジステアリルジメチルアンモニウムクロリド、ジ（Ｃ８−Ｃ２２）−アルキルアミドプロピルトリメチルアンモニウムクロリド及び−メトサルフェートである。
【００４８】
非イオン性界面活性剤としては、例えば次の化合物が挙げられる。
−アルキルフェノールの、ポリエチレン−、ポリプロピレン−及びポリブチレンオキシド縮合物。これらの化合物は、Ｃ６−〜Ｃ２０−アルキル基を有するアルキルフェノールの、アルケンオキシドとの縮合生成物を含み、線状又は分岐状であることができる。これらの界面活性剤は、アルキルフェノールアルコキシレート、例えば、アルキルフェノールエトキシレートと呼ばれる。
−脂肪族アルコールと１〜２５モルのエチレンオキシドとの縮合生成物。この脂肪族アルコールのアルキル鎖又はアルケニル鎖は、線状又は分岐状、第一級又は第二級であることができ、そして、全部で８〜２２個の炭素原子を有する。特に好ましくは、この縮合生成物は、Ｃ１０−〜Ｃ２０−アルコールと、そのアルコール１モル当たり２〜１８モルのエチレンオキシドとからの生成物である。アルコールエトキシレートは、エチレンオキシドの狭い同族体分布（“狭い範囲のエトキシレート”）又はエチレンオキシドの広い同族体分布（“広い範囲のエトキシレート”）を有することができる。市場から入手可能なこの種の非イオン性の界面活性剤の例は、Ｔｅｒｇｉｔｏｌ（登録商標）  １５−Ｓ−９（線状の第二級のＣ１１−Ｃ１５−アルコールと９モルのエチレンオキシドとの縮合生成物）、Ｔｅｒｇｉｔｏｌ（登録商標）  ２４−Ｌ−ＮＭＷ（線状の第一級のＣ１２−Ｃ１４−アルコールと６モルのエチレンオキシドとの、狭い分子量分布の場合の縮合生成物）である。同様に、この製品のクラスは、Ｃｌａｒｉａｎｔの登録商標であるＧｅｎａｐｏｌ（登録商標）  ＰＦを包含する。
−プロピレンオキシドとプロピレングリコールとの縮合によって得られる疎水性のベースを有するエチレンオキシドからの縮合生成物。この化合物の疎水性の部分は、好ましくは、１５００〜１８００の分子量を有する。この疎水性の部分に対するエチレンオキシドの付加により、水溶性が向上する。この生成物は、縮合生成物の全重量の約５０％のポリオキシエチレン含有量までの液体であり、約４０モルまでのエチレンオキシドとの縮合物に相当する。市場から入手可能なこの生成物の例は、ＢＡＳＦの登録商標Ｐｌｕｒｏｎｉｃ（登録商標）及びＣｌａｒｉａｎｔの登録商標Ｇｅｎａｐｏｌ（登録商標）の製品である。
−エチレンオキシドと、プロピレンオキシド及びエチレンジアミンの反応生成物との縮合生成物。この化合物の疎水性の部分は、エチレンジアミンと、過剰のプロピレンオキシドとの反応生成物からなり、一般に２５００〜３０００の分子量を有する。この疎水性の部分に、４０〜８０重量％のポリオキシエチレンの含有量まで、そして５０００〜１１０００の分子量までエチレンオキシドが付加される。市場から入手可能なこの種の化合物の例は、ＢＡＳＦの登録商標Ｔｅｔｒｏｎｉｃ（登録商標）及びＣｌａｒｉａｎｔの登録商標Ｇｅｎａｐｏｌ（登録商標）  ＰＮの製品である。
【００４９】
さらに適した非イオン性の界面活性剤は、アルキル−及びアルケニルオリゴグリコシド並びに脂肪酸ポリグリコールエステル又は脂肪アミンポリグリコールエステルであり、それぞれ、脂肪アルキル残基、アルキルオリゴグリコシド、アルケニルオリゴグリコシド及び脂肪酸−Ｎ−アルキルグルカミド中に、８〜２０個、好ましくは１２〜１８個のＣ−原子を有する。
【００５０】
さらに、本発明の組成物は、両性の界面活性剤を含有することができる。これは、８〜１８個のＣ原子を有するアルキル基を有する、長鎖の第二級又は第三級アミンの誘導体として説明することができ、その際、さらなる基は水溶性をもたらすアニオン性の基、例えば、カルボキシル基、サルフェート基又はスルホネート基で置換される。好ましい両性界面活性剤は、アルカリ塩、モノ−、ジ−及びトリアルキルアンモニウム塩としての、Ｎ−（Ｃ１２−Ｃ１８）−アルキル−β−アミノプロピオネート及びＮ−（Ｃ１２−Ｃ１８）−アルキル−β−イミノジプロピオネートである。これは、８〜１８個のＣ原子の長鎖の基一つ及び１〜４個のＣ原子を有する常に短い鎖のアルキル基二つを有する第三級アミンの酸化物である。ここで好ましい例は、Ｃ１０−〜Ｃ１８−アルキルジメチルアミンオキシド、脂肪酸アミドアルキルジメチルアミンオキシドである。
【００５１】
更なる添加剤（Ｆ）は、例えば、保存料、香料、着色料及び保湿剤（Ｒｕｅｃｋｆｅｔｔｕｎｇｓｍｉｔｔｅｌ）である。
【００５２】
保存料としては、欧州の化粧品の法令の付記に関連してあげられている保存料が適しており、例えば、フェノキシエタノール、ベンジルアルコール、パラベン、安息香酸及びソルビン酸であり、例えば、１，３−ビス（ヒドロキシメチル）−５，５−ジメチルイミダゾリジン−２，４−ジオン（Ｎｉｐａｇｕａｒｄ（登録商標）  ＤＭＤＭＨ）が特に適している。
【００５３】
本発明の組成物中の保存料の量は、完成した組成物の全重量に基づき、一般に、０〜２．０重量％である。
【００５４】
香料としては、エステル、エーテル、アルデヒド、ケトン、アルコール及び炭化水素の種類の合成生成物のような個々の匂い化合物を使用できる。エステルの種類の匂い化合物は、例えば、酢酸ベンジル、フェノキシエチルイソブチラート、ｐ−ｔｅｒｔ．−酢酸ブチルシクロヘキシル、酢酸リナリル、酢酸ジメチルベンジルカルビニル、酢酸フェニルエチル、安息香酸リナリル、ギ酸ベンジル、エチル−メチルフェニルグリシナート、プロピオン酸アリルシクロヘキシル、プロピオン酸スチラリル、及びサリチル酸ベンジルである。エーテルとしては、例えば、ベンジルエチルエーテルが挙げられ、アルデヒドとしては、例えば、８〜１８個のＣ原子を有する線状のアルカナール、シトラール、シトロネラール、シトロネリルオキシアセトアルデヒド、シクラメンアルデヒド、ヒドロキシシトロネラール、ユリ及びボーシュナールが挙げられ、ケトンとしては、例えば、イオノン、アルファ−イソメチルイオノン及びメチルセドリルケトンが挙げられ、アルコールとしては、アネトール、シトロネロール、オイゲノール、ゲラニオン、リナロール、フェニルエチルアルコール及びテルピネオールが挙げられ、炭化水素としては、主として、テルペン及びバルサムが包含される。好ましくは、一緒に好感をもたらす香りを生じさせる、様々な香り成分の混合物が使用される。
【００５５】
香料としては、例えば、植物源及び動物源由来の、例えば、松油、柑橘油、ジャスミン油、ユリ油、バラ油又はイランイラン油のような、天然の匂い物質の混合物も包含される。多くの場合、アロマ成分として使用される揮発性の低いエッセンシャル油も香油として適しており、例えば、セージ油、カモミール油、クローブ油、メリッサ（レモンバーム）油、ミント油、シナモンリーフ油、ライムの花油、ジュニパーベリー油、ベチベル油、オリバナム油、ガルバナム油及びラブダナム油である。
【００５６】
本発明の組成物中の香料の量は、完成した組成物の全重量に基づき、一般に、０〜２重量％である。
【００５７】
過脂肪剤（Ｕｅｂｅｒｆｅｔｔｕｎｇｓｍｉｔｔｅｌ）としては、例えば、ラノリン及びレシチン、エトキシ化されていない及びポリエトキシ化されていない、又はアシル化されたラノリン誘導体及びレシチン誘導体、ポリオール脂肪酸エステル、モノ−、ジ−及びトリグリセリド及び／又は脂肪酸アルカノールアミドを使用でき、その際、後者はまた泡安定剤としても利用され、これらは、好ましくは、０．０１〜１０．０重量％、より好ましくは０．１〜５．０重量％、特に好ましくは０．５〜３．０の量で使用される。
【００５８】
本発明の組成物中に含有される着色料及び着色顔料は、有機系及び無機系のいずれの着色料も、対応する化粧品規制のポジティブリスト又は化粧料の着色剤のＥＧ−リストから選択できる。真珠光沢顔料、例えば、魚銀（魚鱗由来のグアニン／ヒポキサンチン混晶）及び真珠雲（粉砕されたムール貝）、単結晶の真珠光沢顔料、例えば、ビスマスオキシクロリド（ＢｉＯＣｌ）、層状基板顔料、例えば、雲母／金属酸化物、ＴｉＯ２からなる銀白色の真珠光沢顔料、干渉顔料（様々な層の厚さのＴｉＯ２）、有色光沢顔料（Ｆｅ２Ｏ３）及び混合顔料（ＴｉＯ２／Ｆｅ２Ｏ３、ＴｉＯ２／Ｃｒ２Ｏ３、ＴｉＯ２／ベルリンブルー、ＴｉＯ２／カーマイン）もまた有利に適している。
【００５９】
本発明の好ましい一実施形態では、本発明の組成物は、毛髪用シャンプー、シャワーソープ、ハンドソープ及び洗顔料のような毛髪及び皮膚を洗浄するための製品の形態にある。
【実施例】
【００６０】
本発明は次の例により詳細に説明する。
例１及び２並びに比較例１〜４
以下に開示されるＮ−アシル−Ｎ−メチルグルカミンを、欧州特許第０  ５５０  ６３７号（特許文献３又は４）に従って、対応する脂肪酸メチルエステル及びＮ−メチルグルカミンから、溶媒としての１，２−プロピレングリコールの存在下で製造し、活性物質及び１，２−プロピレングリコールからなる固体物質として得た（全て重量％で与えられる）。
【００６１】
【表１】
2015519451.tif 000006
【００６２】
ブルックフィールド粘度計、モデルＤＶ  ＩＩを用い、スピンドルの設定ＲＶ、２０回転／分及び２０℃のスピンドルで粘度を測定した。スピンドルの設定ＲＶからのスピンドル１〜７を使用した。この測定条件下で、最大５００ｍＰａ・ｓの粘度にはスピンドル１、最大１０００ｍＰａ・ｓの粘度にはスピンドル２、最大５０００ｍＰａ・ｓの粘度にはスピンドル３、最大１００００ｍＰａ・ｓの粘度にはスピンドル４、最大２００００ｍＰａ・ｓの粘度にはスピンドル５、最大５００００ｍＰａ・ｓの粘度にはスピンドル６、そして最大２０００００ｍＰａ・ｓの粘度にはスピンドル７が選択された。
【００６３】
７：３の比のナトリウムラウリルエーテルサルフェート（Ｇｅｎａｐｏｌ  ＬＲＯ  ｌｉｑ．、Ｃｌａｒｉａｎｔ）、コカミドプロピルベタイン（Ｇｅｎａｇｅｎ  ＣＡＢ  ８１８、Ｃｌａｒｉａｎｔ）及び総計で１５重量％の活性物質から界面活性剤溶液を製造し、そして、約５０００ｍＰａ・ｓの均一な粘度になるまで食塩を添加して調整した。
【００６４】
さらなる試験において、この界面活性剤溶液に１重量％の追加の糖界面活性剤を加え、そして、同様に、約５０００ｍＰａ・ｓの粘度まで塩で調整した。
【００６５】
粘度を２０℃で測定し、そして例の調合物を４℃に冷却して再度粘度を測定した。
【００６６】
低温安定性の程度を、冷却時の粘度の低下率（％）として測定した。
【００６７】
【表２】
2015519451.tif 000007
【００６８】
上記の表から明らかなように、本発明の例１は、界面活性剤溶液の冷却時の粘度の低下率が著しく小さく、その際、界面活性剤溶液はまた、比較例と比較して透明であった。
【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
アルキルサルフェート及びアルキルエーテルサルフェートからなる群からのアニオン性界面活性剤、及びベタイン系−界面活性剤を含有する界面活性剤水溶液中におけるＮ−メチル−Ｎ−アシルグルカミンの低温安定剤としての使用であって、その際、Ｎ−メチル−Ｎ−アシルグルカミンの少なくとも９０重量％が、Ｃ８−アシル−基又はＣ１０−アシル基を有する、上記の使用。
【請求項２】
前記界面活性剤水溶液が、線状のＣ８−Ｃ２０−アルキルサルフェート及び／又は線状のＣ８−Ｃ２０−アルキルエーテルサルフェートを含有することを特徴とする、請求項１に記載の使用。
【請求項３】
前記界面活性剤水溶液が、ラウリルサルフェート及び／又はラウリルエーテルサルフェートを含有することを特徴とする、請求項２に記載の使用。
【請求項４】
前記界面活性剤水溶液が、アシルアミドプロピルベタイン又はアルキルベタインを含有することを特徴とする、請求項１〜３のいずれか一つに記載の使用。
【請求項５】
（ａ）成分（Ａ）として、少なくとも９０重量％がＣ８−アシル基又はＣ１０−アシル基を有する、Ｎ−メチル−Ｎ−アシルグルカミン、
（ｂ）成分（Ｂ）として、一種又は多種のアルキルサルフェート及びアルキルエーテルサルフェートからなる群からのアニオン性の界面活性剤、
（ｃ）成分（Ｃ）として、一種又は多種のベタイン系−界面活性剤、
（ｄ）場合によって、成分（Ｄ）として更なる界面活性剤、
（ｅ）成分（Ｅ）として、水、
（ｆ）場合によって、成分（Ｆ）として、更なる添加剤、
を含有する組成物。
【請求項６】
（ａ）０．０１〜５．０重量％の成分（Ａ）、
（ｂ）１．０〜２０．０重量％の成分（Ｂ）、
（ｃ）０．１〜１０．０重量％の成分（Ｃ）、
（ｄ）０〜５．０重量％の成分（Ｄ）、
（ｅ）５５．０〜９８．８９重量％の成分（Ｅ）、
（ｆ）０〜５．０重量％の成分（Ｆ）、
を含有する組成物。
【請求項７】
毛髪用シャンプー、シャワーソープ、ハンドソープ及び洗顔料の形態の請求項５又は６に記載の組成物。
【国際調査報告】
2015519451.tif 000008
2015519451.tif 000009
2015519451.tif 000010
2015519451.tif 000011